(57)【要約】【課題】計測結果同士の客観的な比較を可能とすることを目的とする。【解決手段】センサにより生体機能を計測及び解析する生体機能計測解析システムであって、計測しようとする生体機能の選択を受け付ける入力受付部と、生体機能毎の刺激による生体反応の計測と解析の組み合わせを示す計測解析手順情報が格納された記憶部を参照し、選択された生体機能に対応した計測解析手順情報を特定する計測解析手順決定部と、を有する。【選択図】図１
2019118536.tif 000002
【特許請求の範囲】
【請求項１】
センサにより生体機能を計測及び解析する生体機能計測解析システムであって、
計測しようとする生体機能の選択を受け付ける入力受付部と、
生体機能毎の刺激による生体反応の計測と解析の組み合わせを示す計測解析手順情報が格納された記憶部を参照し、選択された生体機能に対応した計測解析手順情報を特定する計測解析手順決定部と、を有する生体機能計測解析システム。
【請求項２】
更に、
前記計測解析手順情報にしたがって、対応する刺激装置に対し刺激を出力させるように指示する刺激指示部と、
前記刺激と対応して前記センサにより検出される信号を解析する解析部と、を有する請求項１記載の生体機能計測解析システム。
【請求項３】
前記計測解析手順情報は、前記刺激を前記刺激装置に出力させる刺激プログラムと、前記信号の解析を実行する解析プログラムと、を対応付けた組を示す情報を含み、
前記刺激指示部は、前記刺激プログラムを実行し、前記解析部は、前記解析プログラムを実行する、請求項２記載の生体機能計測解析システム。
【請求項４】
前記計測解析手順情報は、複数の前記組を示す情報と、複数の前記組の実行順序を示す情報と、を含む、請求項３記載の生体機能計測解析システム。
【請求項５】
前記計測解析手順情報は、
複数の前記組を示す情報と、前記組と組との間のインターバルの時間を示す情報と、を含む、請求項４記載の生体機能計測解析システム。
【請求項６】
複数の前記組における、第一の組の解析プログラムの実行結果に応じて、第二の組の刺激プログラムに含まれるパラメータを変更するパラメータ設定部を有する、請求項４又は５記載の生体機能計測解析システム。
【請求項７】
前記第一の組の解析プログラムと対応付けられた刺激プログラムによる刺激の種類と、前記第二の組の刺激プログラムによる刺激の種類と、が同じである、請求項６記載の生体機能計測解析システム。
【請求項８】
前記生体機能毎の計測解析手順情報が格納された記憶部と、
複数の刺激プログラムを含む刺激プログラム群と、複数の解析プログラムを含む解析プログラム群とが格納されたプログラム格納部と、
前記センサと、
前記刺激装置と、を有する、請求項２乃至７の何れか一項に記載の生体機能計測解析システム。
【請求項９】
前記刺激プログラム群は、
前記刺激装置からの刺激の出力を停止させるプログラムを含み、
前記刺激の出力を停止させるプログラムは、前記刺激を出力させる刺激プログラムよりも先に実行される、請求項８記載の生体機能計測解析システム。
【請求項１０】
前記計測解析手順決定部を有する生体機能計測解析装置と、
前記記憶部と、前記プログラム格納部と、前記解析部と、を有するサーバ装置と、を有する請求項８又は９記載の生体機能計測解析システム。
【請求項１１】
前記記憶部と、前記計測解析手順決定部と、前記刺激プログラム群が格納された第一のプログラム格納部と、を有する生体機能計測解析装置と、
前記解析プログラム群が格納された第二のプログラム格納部と、前記解析部と、を有するサーバ装置と、を有する請求項８又は９記載の生体機能計測解析システム。
【請求項１２】
前記センサは、磁気センサである、請求項１乃至１１の何れか一項に記載の生体機能計測解析システム。
【請求項１３】
センサにより生体機能を計測及び解析する生体機能計測解析システムによる生体機能計測解析方法であって、前記生体機能計測解析システムが、
計測しようとする生体機能の選択を受け付け、
生体機能毎の刺激による生体反応の計測と解析の組み合わせを示す計測解析手順情報が格納された記憶部を参照し、選択された生体機能に対応した計測解析手順情報を特定する、生体機能計測解析方法。
【請求項１４】
センサにより生体機能を計測及び解析する生体機能計測解析装置により実行される生体機能計測解析プログラムであって、
計測しようとする生体機能の選択を受け付ける処理と、
生体機能毎の刺激による生体反応の計測と解析の組み合わせを示す計測解析手順情報が格納された記憶部を参照し、選択された生体機能に対応した計測解析手順情報を特定する処理と、を前記生体機能計測解析装置に実行させる生体機能計測解析プログラム。
【発明の詳細な説明】
【技術分野】
【０００１】
本発明は、生体機能計測解析システム、生体機能計測解析プログラム及び生体機解析方法に関する。
【背景技術】
【０００２】
従来から、脳の機能に応じた刺激を被検者に与え、被検者の脳の神経活動を計測して脳の活動を解析し、脳の機能についての情報を取得するシステムが知られている。また、このような従来のシステムでは、計測者による、計測目的の脳の機能の選択を可能とし、選択結果に応じて、刺激を与える時間等を変化させるプログラムを備えたものが知られている。
【発明の概要】
【発明が解決しようとする課題】
【０００３】
しかしながら、上述した従来のシステムでは、脳の機能の計測の手順が標準化されていない。そのため、従来では、刺激の与え方や解析等の手順が、計測者によって異なるものとなり、計測結果同士を客観的に比較することが困難であった。
【０００４】
本発明は、計測結果同士の客観的な比較を可能とすることを目的とする。
【課題を解決するための手段】
【０００５】
上記課題を解決するため、本発明は、センサにより生体機能を計測及び解析する生体機能計測解析システムであって、計測しようとする生体機能の選択を受け付ける入力受付部と、生体機能毎の刺激による生体反応の計測と解析の組み合わせを示す計測解析手順情報が格納された記憶部を参照し、選択された生体機能に対応した計測解析手順情報を特定する計測解析手順決定部と、を有することを特徴とする。
【発明の効果】
【０００６】
本発明により、計測結果同士の客観的な比較を可能とする。
【図面の簡単な説明】
【０００７】
【図１】第一の実施形態の生体機能計測解析システムのシステム構成の一例を示す図である。
【図２】第一の実施形態の生体機能計測解析装置のハードウェア構成の一例を示す図である。
【図３】第一の実施形態の生体機能計測解析装置の機能を説明する図である。
【図４】第一の実施形態の手順データベースの一例を示す図である。
【図５】第一の実施形態の生体機能計測解析装置の動作を説明する第一のフローチャートである。
【図６】第一の実施形態の計測解析処理部の動作を説明する第二のフローチャートである。
【図７】第一の実施形態の選択画面の一例を示す図である。
【図８】第二の実施形態の生体機能計測解析装置の機能を説明する図である。
【図９】第二の実施形態の計測解析処理部の動作を説明するフローチャートである。
【図１０】第三の実施形態の生体機能計測解析システムを説明する図である。
【図１１】第四の実施形態の生体機能計測解析システムを説明する図である。
【発明を実施するための形態】
【０００８】
（第一の実施形態）
以下に図面を参照して、第一の実施形態について説明する。図１は、第一の実施形態の生体機能計測解析システムのシステム構成の一例を示す図である。
【０００９】
本実施形態の生体機能計測解析システム１００は、生体機能計測解析装置２００と、刺激装置３００と、磁気センサ４００と、を有する。
【００１０】
本実施形態の生体機能計測解析システム１００では、刺激装置３００により、被検者Ｐに対して刺激を与え、脳の神経活動を誘発させ、磁気センサ４００によって、神経活動から発生られる磁場を検出する。磁気センサ４００は、検出結果を生体機能計測解析装置２００へ出力する。磁気センサ４００から生体機能計測解析装置２００に対して出力される信号を、センサ出力信号と呼ぶ。
【００１１】
生体機能計測解析装置２００は、磁気センサ４００からセンサ出力信号を取得し、取得した信号を解析した結果を、脳の機能（生体機能）に関する情報（計測結果）として出力する。
【００１２】
本実施形態の生体機能計測解析装置２００は、手順データベース２１０と、プログラム格納部２１５と、計測解析処理部２２０とを有する。
【００１３】
本実施形態の手順データベース２１０は、刺激装置３００に刺激を生成させる刺激プログラムと、刺激と対応したセンサ出力信号の解析に用いる解析プログラムと、が対応付けられた組が、脳の機能毎に組み合わされた計測解析手順情報が格納される。計測解析手順情報の詳細は後述する。
【００１４】
本実施形態のプログラム格納部２１５は、刺激プログラムと、解析プログラムとのそれぞれの実体が格納される。
【００１５】
本実施形態の計測解析処理部２２０は、計測する脳の機能の選択を受け付けて、手順データベース２１０を参照し、選択された機能に応じた計測解析手順情報を特定する。そして、計測解析処理部２２０は、特定した計測解析手順情報が示す刺激プログラムと解析プログラムにしたがって、刺激装置３００に刺激を生成させ、この刺激と対応して磁気センサ４００により検出されるセンサ出力信号の解析を行い、計測結果として出力する。
【００１６】
本実施形態では、このように、選択された脳の機能に応じて計測解析手順情報を特定することで、機能毎に決められた手順に従った計測を行うことができる。したがって、本実施形態によれば、計測者によって計測手順が異なることはなく、計測結果同士を客観的に比較することが可能となる。
【００１７】
以下に、本実施形態の生体機能計測解析装置２００について、さらに説明する。図２は、第一の実施形態の生体機能計測解析装置のハードウェア構成の一例を示す図である。
【００１８】
本実施形態の生体機能計測解析装置２００は、それぞれバスＢで相互に接続されている入力装置２１、出力装置２２、ドライブ装置２３、補助記憶装置２４、メモリ装置２５、演算処理装置２６及びインターフェース装置２７を含む情報処理装置である。
【００１９】
入力装置２１は、各種の情報の入力を行うための装置であり、例えばキーボードやポインティングデバイス等により実現される。出力装置２２は、各種の情報の出力を行うためものであり、例えばディスプレイ等により実現される。インターフェース装置２７は、ＬＡＮカード等を含み、ネットワークに接続する為に用いられる。
【００２０】
生体機能計測解析プログラムは、生体機能計測解析装置２００を制御する各種プログラムの少なくとも一部である。生体機能計測解析プログラムは例えば記憶媒体２８の配布やネットワークからのダウンロード等によって提供される。生体機能計測解析プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００２１】
また、生体機能計測解析プログラムは、生体機能計測解析プログラムを記録した記憶媒体２８がドライブ装置２３にセットされると、記憶媒体２８からドライブ装置２３を介して補助記憶装置２４にインストールされる。ネットワークからダウンロードされた生体機能計測解析プログラムは、インターフェース装置２７を介して補助記憶装置２４にインストールされる。
【００２２】
補助記憶装置２４は、インストールされた生体機能計測解析プログラムを格納すると共に、必要なファイル、データ等を格納する。メモリ装置２５は、生体機能計測解析装置２００の起動時に補助記憶装置２４から生体機能計測解析プログラムを読み出して格納する。そして、演算処理装置２６はメモリ装置２５に格納された生体機能計測解析プログラムに従って、後述するような各種処理を実現している。
【００２３】
尚、本実施形態の刺激装置３００は、生体機能計測解析装置２００によって制御される。具体的には、刺激装置３００は、生体機能計測解析装置２００で実行される刺激プログラムに応じて、被検者Ｐに与える刺激を生成して出力する。また、刺激装置３００は、生体機能計測解析装置２００で実行される刺激プログラムに応じて、被検者Ｐから発せられる磁場等の信号をモニタする。
【００２４】
本実施形態の刺激装置３００は、例えば、ベルトに設けられた電極等であっても良い。この場合には、刺激装置３００は、例えば、被検者Ｐの腕等に装着され、電気信号あるいは機械的信号が刺激として被検者Ｐに与えられることになる。
【００２５】
また、本実施形態の刺激装置３００は、例えば、表示装置や音声出力装置等であっても良い。この場合には、刺激装置３００は、例えば、刺激装置３００に表示された映像や、刺激装置３００から出力される音声等を、刺激として被検者Ｐに与えることになる。本実施形態の刺激装置３００は、このように、計測手順で決められた各種の刺激を被検者Ｐに対して与えることができる。
【００２６】
また、本実施形態の生体機能計測解析システム１００では、被検者Ｐの脳の神経活動から発せられる信号を磁気センサ４００により検出するものとしたが、これに限定されない。本実施形態の生体機能計測解析システム１００では、脳の神経活動から発せられる信号を検出するためのセンサを有していれば良く、且つ、被検者の生体機能を正確に計測するため、低侵襲であるか、さらに好ましくは非侵襲であると良い。このようなセンサの例として磁気センサ以外に、脳波、光トポグラフィなどがある。また、本実施形態のセンサは、これらセンサを複数種類含んでいても構わない。ただし、その場合、１つのセンサの動作が他のセンサによる計測に影響を与えないことが必要である。とくに、センサの１つとして磁気センサを用いる場合、生体と磁気センサが非接触であっても生体から発せられる信号を取得できるという特徴があるため、センサの装着状態が計測結果に影響を与えない。したがって本発明の実施例として好適である。
このセンサは磁気センサに限定されない。
【００２７】
次に、図３を参照して、本実施形態の生体機能計測解析装置２００の機能について説明する。図３は、第一の実施形態の生体機能計測解析装置の機能を説明する図である。
【００２８】
本実施形態の生体機能計測解析装置２００は、手順データベース２１０と、プログラム格納部２１５と、計測解析処理部２２０とを有する。
【００２９】
手順データベース２１０と、プログラム格納部２１５とは、例えば、生体機能計測解析装置２００の補助記憶装置２４やメモリ装置２５等により実現される。また、本実施形態の計測解析処理部２２０は、演算処理装置２６が、補助記憶装置２４やメモリ装置２５等に格納された生体機能計測解析プログラムを読み出して実行することで実現される。
【００３０】
本実施形態のプログラム格納部２１５には、刺激装置３００に刺激を生成して出力させるための刺激プログラム群２１６と、磁気センサ４００から出力されるセンサ出力信号を解析するための解析プログラム群２１７とが格納されている。尚、刺激プログラム群２１６と、解析プログラム群２１７とは、予めプログラム格納部２１５に格納されていても良いし、生体機能計測解析装置２００が外部装置と通信を行って、ダウンロードしてきても良い。
【００３１】
計測解析処理部２２０は、入力受付部２２１、手順決定部２２２、刺激指示部２２３、センサ出力取得部２２４、解析部２２５、結果出力部２２６を有する。
【００３２】
入力受付部２２１は、生体機能計測解析装置２００に対する各種の情報の入力を受け付ける。具体的には、入力受付部２２１は、例えば、生体機能計測解析システム１００において計測される脳の機能（生体機能）を選択する操作を受け付ける。
【００３３】
手順決定部２２２は、入力受付部２２１において、脳の機能を選択する操作が受け付けられると、手順データベース２１０を参照し、選択された機能と対応する計測解析手順情報を特定する。言い換えれば、手順決定部２２２は、選択された脳の機能に応じて、計測手順を決定する。
【００３４】
刺激指示部２２３は、手順決定部２２２により特定された計測解析手順情報に含まれる刺激プログラムに基づき、刺激装置３００に対して刺激を生成させるための指示を行う。言い換えれば、刺激指示部２２３は、プログラム格納部２１５の刺激プログラム群２１６から、特定された計測解析手順情報に含まれる刺激プログラムを読み出して、計測解析手順情報において決められた順に実行する。
【００３５】
センサ出力取得部２２４は、刺激プログラムが実行されているときの磁気センサ４００から出力されるセンサ出力信号を取得する。具体的に、センサ出力取得部２２４は、磁気センサ４００の出力端子等と接続されており、出力端子等から接続されるセンサ出力信号を取得する。
【００３６】
解析部２２５は、手順決定部２２２により特定された計測解析手順情報に含まれる解析プレプログラムのうち、刺激指示部２２３により刺激の生成が指示された刺激プログラムと対応付けられた解析プログラムに基づき、センサ出力信号の解析を行う。言い換えれば、解析部２２５は、プログラム格納部２１５の解析プログラム群２１７から、刺激の生成が指示された刺激プログラムと対応付けられた解析プログラムを読み出して実行する。
【００３７】
結果出力部２２６は、解析部２２５による解析結果を、脳の機能の計測結果とし出力する。言い換えれば、結果出力部２２６は、解析プログラムの実行結果を脳の機能の計測結果として出力する。
【００３８】
次に、図４を参照して、本実施形態の手順データベース２１０について説明する。図４は、第一の実施形態の手順データベースの一例を示す図である。
【００３９】
本実施形態の手順データベース２１０は、情報の項目として、脳の機能、組１、組２、・・・、組Ｎ、実行手順を有する。
【００４０】
手順データベース２１０において、項目「脳の機能」と、その他の項目とは対応付けられている。本実施形態の計測解析手順情報は、項目「脳の機能」の値と、その他の項目の値とを含む情報である。
【００４１】
項目「脳の機能」の値は、計測の対象となる脳の機能を示す。項目「組１」〜「組Ｎ」の値は、刺激プログラムと解析プログラムとの対応付けを示す。項目「実行手順」の値は、項目「組１」〜「組Ｎ」を実行する順番を示す。
【００４２】
つまり、本実施形態の計測解析手順情報は、刺激プログラムと解析プログラムとの対応付けを示す情報を含む。言い換えれば、計測解析手順情報は、計測手順としての刺激と解析の組み合わせを示す情報である。
【００４３】
図４の例では、例えば、脳の「てんかん活動」の計測を行う場合には、組１、組２の順に刺激プログラムと解析プログラムとが実行されることがわかる。ここで、組１は、刺激プログラムＰｒ１と、解析プログラムＰｒｓ１とを対応付けた組であり、組２は、刺激プログラムＰｒ２と、解析プログラムＰｒｓ２とを対応付けた組である。
【００４４】
したがって、図４の例では、脳の「てんかん活動」の計測手順は、刺激プログラムＰｒ１の実行、解析プログラムＰｒｓ１の実行、刺激プログラムＰｒ２の実行、解析プログラムＰｒｓ２の実行であることがわかる。
【００４５】
また、同様に、図４の例では、脳の「認知機能」の計測を行う場合には、組２、組Ｎ、・・・、組１の順に刺激プログラムと解析プログラムとが実行されることがわかる。ここで、    組１は、刺激プログラムＰｒ１と、解析プログラムＰｒｓ３とを対応付けた組であり、組２は、刺激プログラムＰｒ３と、解析プログラムＰｒｓ４とを対応付けた組である。また、組Ｎは、刺激プログラムＰｒｘと解析プログラムＰｒｙとを対応付けた組である。
【００４６】
したがって、脳の「認知機能」の計測手順は、刺激プログラムＰｒ３の実行、解析プログラムＰｒｓ５の実行、刺激プログラムＰｒｘの実行、解析プログラムＰｒｓｙの実行、・・・、刺激プログラムＰｒ１の実行、解析プログラムＰｒｓ３の実行であることがわかる。
【００４７】
尚、図４の例では、１つの刺激プログラムに対して１つの解析プログラムが対応付けられるものとしたが、これに限定されない。本実施形態では、１つの刺激プログラムに複数の解析プログラムが対応付けられていても良いし、複数の刺激プログラムに１つの解析プログラムが対応付けられていても良い。
【００４８】
また、図４の例では、項目「実行手順」の値として、実行される組の順番のみが示されているが、これに限定されない。手順データベース２１０では、例えば、項目「実行手順」の値に、ある組（手順）を実行してから、次の組（次の手順）が実行されるまでのインターバル（所定時間）を示す値が含まれていても良い。
【００４９】
具体的には、本実施形態では、例えば、項目「脳の機能」の値が、「認知機能」である場合に、項目「実行手順」の値に、組と組の間のインターバルを示す時間が含まれていても良い。
【００５０】
この場合、刺激指示部２２３は、例えば、組１の刺激プログラムＰｒ１に基づき刺激装置３００に刺激の生成及び出力を指示した後に、インターバルを示す時間が経過してから、組２の刺激プログラムＰｒ２に基づく指示を刺激装置３００に行う。
【００５１】
尚、インターバルが示す時間の計測を開始するタイミングは、刺激指示部２２３が組１の刺激プログラムＰｒ１に基づく指示を行ったタイミングであっても良いし、組１の解析プログラムＰｒｓ１の実行が完了したタイミングであっても良い。
【００５２】
「てんかん活動」「認知機能」などの計測には、聴覚、視覚、触覚、味覚、嗅覚、体性感覚、運動、言語、記憶、注意、遂行、社会性など低次から高次までの様々な脳機能に関連する計測が含まれる。
【００５３】
言語、記憶、注意、遂行、社会性等の高次脳機能の計測を行った直後において被検者Ｐの脳の状態が計測前の状態から変化している場合がある。したがって、本実施形態では、刺激と刺激との間にインターバルを設けることで、被検者Ｐの脳の状態をそろえることができる。また、聴覚、視覚、触覚、味覚、嗅覚、体性感覚、運動等の低次の脳機能の計測においても、複数の低次脳機能を同時に誘発する刺激を用いる場合、同様に刺激と刺激との間にインターバルを設けることで、被検者Ｐの脳の状態をそろえることができる。
【００５４】
例えば、被検者Ｐに与えられる刺激に、音声を含む映像が含まれる場合、この刺激は聴覚機能と視覚機能に関連した刺激である。したがって、項目「実行手順」の値として、音声を含む映像が刺激として与える刺激プログラムを含む組と次の組の間に、インターバルを示す時間が含まれていることが望ましい。
【００５５】
以下に、本実施形態の刺激プログラムにより被検者Ｐに与えられる刺激について、さらに説明する。
【００５６】
本実施形態の生体機能計測解析システム１００において、被検者Ｐに与える刺激には、様々なパターンのものが含まれる。この様々なパターンは、様々なパターンの刺激プログラムを含む組を、様々な手順で実行することで実現される。
【００５７】
具体的には、例えば、ある刺激（第一の刺激）を被検者Ｐに与えた結果を解析した後に、ある刺激とは異なる刺激（第二の刺激）を被検者Ｐに与えて解析と、さらにその後に再度ある刺激（第一の刺激）を被検者Ｐに与えて解析しても良い。
【００５８】
この場合、実行手順を、第一の刺激を生成させる刺激プログラムを含む第一の組の次に、第二の刺激を生成させる刺激プログラムを含む第二の組を実行し、そして、再度、第一の組を実行させるようにすれば良い。
【００５９】
本実施形態では、このように、被検者Ｐに刺激を与えることで、例えば、最初に被検者Ｐに与えた第一の刺激に対応した解析結果と、次に被検者Ｐに与えた第一の刺激に対応した解析結果と、を比較し、第二の刺激が被検者Ｐに及ぼす影響を推定することができる。
【００６０】
また、本実施形態では、例えば、一定時間被検者Ｐに与える刺激を生成させる刺激プログラムを含む組の次に、この刺激と同じ刺激を一定時間よりも十分長い時間被検者Ｐに与える刺激プログラムを含む組を組み合わせても良い。
【００６１】
この場合は、例えば、一定時間の間被検者Ｐに与えられる刺激を、機能の計測のテストとし、この刺激を与える刺激プログラムと対応付けられた解析プログラムによる解析結果に応じて、一定時間よりも十分長い時間被検者Ｐに与える刺激プログラムを含む組を実行するようにしても良い。
【００６２】
本実施形態では、一定時間の間被検者Ｐに与えられる刺激を、単位刺激と呼ぶ。また、一定時間より十分長い時間とは、一定時間の１０倍程度の期間であっても良い。
【００６３】
さらに、本実施形態では、刺激プログラムと解析プログラムとを対応付けた組には、被検者Ｐに刺激を与えない刺激プログラムを含む組があっても良い。これにより、いわゆる脳のレスティング・ステイト（安静状態）を計測できる。レスティング・ステイトの解析プログラムとして、脳活動領域の個数を限定しない解析方法、例えばビームフォーマー法を用いることができる。また、複数の脳活動領域の関連性を評価する機能性接続解析を含んでいても良い。
【００６４】
この場合の刺激プログラムは、一定期間は刺激装置３００に対して、刺激の生成及び出力を停止させるためのプログラムとなる。また、このとき、刺激プログラムは、刺激装置３００に、被検者Ｐから発せられる信号をモニタ（計測）させても良い。被検者Ｐから発せられる信号とは、例えば、被検者Ｐの脳波等である。
【００６５】
このような、刺激の出力を停止させ、被検者Ｐをモニタする刺激プログラムを含む実行手順では、この刺激プログラムを含む組を、実行手順の前半、例えば、最初の組としても良い。
【００６６】
本実施形態では、刺激の出力を停止させて被検者Ｐをモニタする刺激プログラムを含む組を、実行手順における前半、例えば、最初の組とすることで、被検者Ｐに刺激が与えられる前に、被検者Ｐの安静な状態における脳の神経活動の状態を計測しておくことができる。
【００６７】
被検者Ｐに刺激を与える前の安静な状態で、被検者Ｐの脳の神経活動の状態を計測しておけば、解析プログラムにおいて、刺激を与えた後の被検者Ｐの脳の神経活動の状態と比較することで、刺激による影響を考慮した解析を行うことができ、その場合、被検者の状態が一定条件になるよう刺激プログラムの実行フローやパラメータ等を調整した機能計測を行うことができる。
【００６８】
例えば、安静な状態における被検者Ｐの脳波等をモニタすることで、被検者Ｐが睡眠状態であるか否かを判定することができる。このようにすれば、被検者Ｐの睡眠中に機能を計測する場合に、生体機能計測解析装置２００は、例えば、センサ出力信号の解析結果により、被検者Ｐが睡眠状態となったことを検出した後に、刺激を与えるようにすることができる。あるいは、被検者Ｐの覚醒中に機能を計測する場合に、生体機能計測解析装置２００は、例えば、眼覚めを誘導するような刺激を与えた後、センサ出力信号の解析結果により、被検者Ｐが覚醒状態となったことを検出した後に、生体機能計測のための刺激を与えるようにすることができる。
【００６９】
次に、図５及び図６を参照して、本実施形態の生体機能計測解析装置２００の処理について説明する。図５は、第一の実施形態の生体機能計測解析装置の動作を説明する第一のフローチャートである。
【００７０】
本実施形態の生体機能計測解析装置２００は、生体機能計測解析装置２００の入力受付部２２１により、生体機能計測解析装置２００のディスプレイ等に、計測する脳の機能を選択させるための選択画面を表示させる（ステップＳ５０１）。尚、選択画面が表示されるディスプレイは、生体機能計測解析装置２００が有するものでなくても良く、生体機能計測解析装置２００と通信を行う端末装置等であっても良い。選択画面の詳細は後述する。
【００７１】
続いて、計測解析処理部２２０は、入力受付部２２１が、計測する脳の機能の選択を受け付けたか否かを判定する（ステップＳ５０２）。ステップＳ５０２において、選択を受け付けない場合、計測解析処理部２２０は、選択を受け付けるまで待機する。
【００７２】
ステップＳ５０２において、入力受付部２２１が選択を受け付けると、計測解析処理部２２０は、手順決定部２２２により、手順データベース２１０を参照し、選択された脳の機能と対応する計測手順を決定する（ステップＳ５０３）。
【００７３】
言い換えれば、手順決定部２２２は、手順データベース２１０を参照し、選択された脳の機能を含む計測解析手順情報を特定する。
【００７４】
続いて、計測解析処理部２２０は、手順決定部２２２によって決定された計測手順を実行する（ステップＳ５０４）。ステップＳ５０４の処理の詳細は後述する。
【００７５】
続いて、計測解析処理部２２０は、結果出力部２２６により、計測結果を出力し（ステップＳ５０５）、処理を終了する。
【００７６】
以下に、図６を参照して、計測解析処理部２２０による計測手順の実行の処理について説明する。図６は、第一の実施形態の計測解析処理部の動作を説明する第二のフローチャートである。図６では、図５のステップＳ５０４の処理の詳細を示している。
【００７７】
本実施形態の計測解析処理部２２０は、計測解析手順情報が特定されると、刺激指示部２２３により、計測解析手順情報に含まれる実行手順の組のうち、最初の組に含まれる刺激プログラムをプログラム格納部２１５から読み出して実行する（ステップＳ６０１）。言い換えれば、刺激指示部２２３は、刺激プログラムを読み出して実行することで、刺激装置３００に対して、刺激プログラムに基づく制御を行う。
【００７８】
例えば、このときの刺激プログラムが、単位刺激を与えるためのものである場合、刺激指示部２２３は、単位刺激を被検者Ｐに出力させるように、刺激装置３００を制御する。
【００７９】
また、このときの刺激プログラムが、刺激の出力を停止させるものである場合、刺激指示部２２３は、刺激の出力を停止し、被検者Ｐから発せられる信号をモニタするように、刺激装置３００を制御する。
【００８０】
続いて、計測解析処理部２２０は、センサ出力取得部２２４により、磁気センサ４００から出力されるセンサ出力信号を取得する（ステップＳ６０２）。続いて、計測解析処理部２２０は、解析部２２５により、ステップＳ６０１で実行した刺激プログラムと対応付けられた解析プログラムをプログラム格納部２１５から読み出して実行する（ステップＳ６０３）。
【００８１】
続いて、計測解析処理部２２０は、結果出力部２２６により、解析プログラムを実行した結果を計測結果として出力する（ステップＳ６０４）。
【００８２】
次に、計測解析処理部２２０は、計測解析手順情報の実行手順に、次の組が存在するか否かを判定する（ステップＳ６０５）。ステップＳ６０５において、次の組が存在しない場合、計測解析処理部２２０は、処理を終了する。
【００８３】
ステップＳ６０５において、次の処理が存在する場合、計測解析処理部２２０は、刺激指示部２２３により、次の組に含まれる刺激プログラムをプログラム格納部２１５から読み出して実行する（ステップＳ６０６）。
【００８４】
続いて、計測解析処理部２２０は、センサ出力取得部２２４により、磁気センサ４００から出力されるセンサ出力信号を取得する（ステップＳ６０７）。次に、計測解析処理部２２０は、解析部２２５により、ステップＳ６０６で実行された刺激プログラムと対応する解析プログラムを読み出して実行する（ステップＳ６０８）。
【００８５】
続いて、計測解析処理部２２０は、結果出力部２２６により、解析プログラムを実行した結果を計測結果として出力し（ステップＳ６０９）、ステップＳ６０５へ戻る。
【００８６】
本実施形態では、以上のようにして、計測解析手順情報において決められた計測手順を実行する。尚、図６の例では、解析プログラムが実行される度に、解析プログラムの実行結果を計測結果として出力するものとしたが、これに限定されない。本実施形態では、解析プログラムの実行結果を保持しておき、計測手順に含まれる全ての組の実行が終了した後に、計測結果をまとめて出力しても良い。
【００８７】
また、図６の例では、各組が時系列に実行されるものとしたが、これに限定されない。本実施形態では、ある組の解析プログラムと、次の組の刺激プログラムとが並列に実行されても良い。
【００８８】
また、図６の例では、１つの刺激プログラムに対して１つの解析プログラムが実行されるものとしたが、これに限定されない。本実施形態では、例えば、１つの刺激プログラムを実行して取得されたセンサ出力信号に対し、複数の異なる解析方法を実現する複数の解析プログラムが実行されても良い。複数の解析方法とは、例えば、ダイポール法やビームフォーマー法等である。
【００８９】
次に、図７を参照して、生体機能計測解析装置２００が表示させる脳の機能の選択画面について説明する。図７は、第一の実施形態の選択画面の一例を示す図である。
【００９０】
図７に示す選択画面７１には、メッセージ７２と、選択欄７３とが表示されている。メッセージ７２は、計測する脳の機能の選択を促すメッセージである。
【００９１】
選択欄７３は、脳の機能の一覧と、それぞれの脳の機能毎を選択するためのチェックボックスとを含む。また、別の実施形態として、選択画面は、複数項目から１つだけを選択させる選択画面もありうる。この場合、選択肢として、例えば、「幼児脳機能」「高齢者脳機能」のように、計測者が容易に選択できる選択肢であっても構わない。この場合、計測者が十分な知識がなくても適切な選択を行うことができるため、本発明の生体機能計測解析装置の計測結果どうしを容易に客観的に比較することができるというメリットがある。
【００９２】
また、年齢層、性別、等の被検者の客観的属性や、各種心理検査、本発明とは異なる画像検査の結果、あるいは血液検査や髄液検査などの各種検査結果を基にした選択肢は、計測者が容易に選択できるため好ましい。
【００９３】
本実施形態では、選択欄７３において、計測する脳の機能が選択されると、入力受付部２２１がその選択を受け付けて、手順決定部２２２が選択された脳の機能と対応付けられた計測解析手順情報を特定する。
【００９４】
したがって、本実施形態によれば、計測者は、計測する脳の機能を選択するだけでよく、被検者Ｐに刺激を与える順番や、解析を行う順番等を決める必要がない。このため、本実施形態によれば、刺激の与え方や解析等の手順が、計測者によって異なることがなく、計測結果同士を客観的に比較することを可能とする。
【００９５】
（第二の実施形態）
以下に図面を参照して第二の実施形態について説明する。第二の実施形態は、解析プログラムによる解析の結果に応じて、刺激プログラムに含まれるパラメータを変更する点が第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【００９６】
図８は、第二の実施形態の生体機能計測解析装置の機能を説明する図である。本実施形態の生体機能計測解析システム１００Ａは、生体機能計測解析装置２００Ａを有する。
【００９７】
生体機能計測解析装置２００Ａは、手順データベース２１０、プログラム格納部２１５、計測解析処理部２２０Ａを有する。
【００９８】
本実施形態の計測解析処理部２２０Ａは、入力受付部２２１、手順決定部２２２、刺激指示部２２３、センサ出力取得部２２４、解析部２２５、結果出力部２２６、パラメータ設定部２２７を有する。
【００９９】
本実施形態のパラメータ設定部２２７は、解析部２２５による解析プログラムの実行結果に応じて、次に実行される刺激プログラムのパラメータを変更する。刺激プログラムに含まれるパラメータとは、例えば、刺激が与えられる時間や、刺激の強度等である。
【０１００】
本実施形態のパラメータ設定部２２７は、例えば、解析部２２５の解析結果に対して、所定の閾値等を有しており、解析プログラムを実行した結果として出力される値が所定の閾値以上であった場合等に、次に実行される刺激プログラムのパラメータを変更しても良い。ここで、次に実行される刺激プログラムによる刺激は、その前に実行される刺激と同一のものであり、そのパラメータのみが異なる。言い換えれば、次に実行される刺激プログラム（第二の組の刺激プログラム）による刺激の種類は、その前に実行される刺激プログラム（第一の組の刺激プログラム）による刺激の種類と、同一のものであり、そのパラメータのみが異なる。
【０１０１】
例えば、パラメータ設定部２２７は、解析プログラムを実行した結果、所定の閾値未満となった場合等には、次の刺激プログラムにおける刺激の強度を大きくしたり、刺激を与える時間を長くしたりしても良い。同一刺激の複数回の試行（例えば、１００回以上）からなる刺激に対する反応を要する脳の機能の計測を行う場合、被検者の注意欠如のために、そのうち一部の試行（例えば、１０回）は有意な反応とならないことがあるが、そのようなことを避けるために、解析プログラムを実行した結果、有意な試行が脳の機能の計測のために必要な回数に達しなかった場合には、次の刺激プログラムが必要回数以上の追加の同一刺激を与えるようにパラメータを設定する（例えば、１２回)。また、例えば、音声刺激の場合には、被検者の注意を引き出すために、音声圧力レベル（ＳＰＬ）を適当なＳＰＬよりも大きくする（例えば、５ｄＢほど）ことも有効である。
【０１０２】
次に、本実施形態の生体機能計測解析装置２００Ａの動作を説明する。本実施形態の生体機能計測解析装置２００Ａの動作は、計測手順を実行する処理（図５のステップＳ５０４）のみが、第一の実施形態と相違する。
【０１０３】
したがって、以下の図９では、第二の実施形態における計測手順の実行について説明する。図９は、第二の実施形態の計測解析処理部の動作を説明するフローチャートである。図９では、生体機能計測解析装置２００Ａの手順決定部２２２によって決定された計測手順を実行する処理を示している。
【０１０４】
図９のステップＳ９０１からステップＳ９０５までの処理は、図６のステップＳ６０１からステップＳ６０５までの処理と同様であるから、説明を省略する。
【０１０５】
ステップＳ９０５において、次の組が存在する場合、計測解析処理部２２０Ａは、パラメータ設定部２２７により、ステップＳ９０３における解析プログラムの実行結果に基づき、次の組に含まれる刺激プログラムのパラメータを設定し（ステップＳ９０６）、ステップＳ９０７へ進む。
【０１０６】
ステップＳ９０７からステップＳ９１０までの処理は、ステップＳ６０６からステップＳ６０９までの処理と同様であるから、説明を省略する。
【０１０７】
以上のように、本実施形態によれば、ある刺激を被検者Ｐに与えた結果に応じて、次に被検者Ｐに与える刺激の強度や時間を変更することができる。
【０１０８】
（第三の実施形態）
以下に図面を参照して、第三の実施形態について説明する。第三の実施形態は、手順データベース２１０、プログラム格納部２１５、解析部２２５、結果出力部２２６が生体機能計測解析装置２００の外部装置に設けられている点が、第一の実施形態と相違する。よって、以下の第三の実施形態の説明では、第一の実施形態との相違点について説明し、第一の実施形態と同様の機能構成を有するものには、第一の実施形態の説明で用いた符号と同様の符号を付与し、その説明を省略する。
【０１０９】
図１０は、第三の実施形態の生体機能計測解析システムを説明する図である。本実施形態の生体機能計測解析システム１００Ｂは、生体機能計測解析装置２００Ｂと、刺激装置３００と、磁気センサ４００と、サーバ装置５００と、を有する。
【０１１０】
本実施形態の生体機能計測解析装置２００Ｂは、計測解析処理部２２０Ｂを有する。計測解析処理部２２０Ｂは、入力受付部２２１、手順決定部２２２、刺激指示部２２３、センサ出力取得部２２４、通信部２２８を有する。通信部２２８は、サーバ装置５００を含む外部装置と通信を行う。
【０１１１】
本実施形態のサーバ装置５００は、手順データベース２１０、プログラム格納部２１５、解析部２２５、結果出力部２２６、通信部５１０を有する。通信部５１０は、生体機能計測解析装置２００Ｂを含む他の装置との通信を行う。
【０１１２】
本実施形態の生体機能計測解析装置２００Ｂは、入力受付部２２１が計測する脳の機能の選択を受け付けると、通信部２２８により、サーバ装置５００の有する手順データベース２１０を参照し、手順決定部２２２により、計測解析手順情報を特定する。このとき、通信部２２８は、特定された計測解析手順情報をサーバ装置５００の解析部２２５に渡しても良い。
【０１１３】
また、本実施形態の生体機能計測解析装置２００Ｂは、計測解析手順情報が特定されると、通信部２２８を介してサーバ装置５００を参照し、計測解析手順情報に応じて刺激プログラムを読み出し、刺激指示部２２３に刺激プログラムを実行させる。
【０１１４】
そして、生体機能計測解析装置２００Ｂは、刺激指示部２２３により刺激プログラムが実行されると、通信部２２８を介して、実行された刺激プログラムを示す情報と、刺激プログラムが実行されたことを示す通知とを、サーバ装置５００に送信する。
【０１１５】
そして、生体機能計測解析装置２００Ｂは、センサ出力取得部２２４により、磁気センサ４００からセンサ出力信号を取得すると、通信部２２８を介してセンサ出力信号をサーバ装置５００へ送信する。
【０１１６】
サーバ装置５００は、刺激プログラムが実行されたことを示す通知と、解析部２２５により、センサ出力信号に対して計測解析手順情報に応じた解析プログラムを実行し、結果出力部２２６により、計測結果を出力させる。
【０１１７】
このように、本実施形態によれば、刺激プログラム群２１６と解析プログラム群２１７を格納するプログラム格納部２１５と、解析処理を行う解析部２２５と、をサーバ装置５００へ設けたため、生体機能計測解析装置２００Ｂにおいて要求される記憶容量や処理負荷を低減することができる。
【０１１８】
（第四の実施形態）
以下に図面を参照して、第四の実施形態について説明する。第四の実施形態は、解析プログラム群２１７を格納する格納部、解析部２２５、結果出力部２２６が生体機能計測解析装置２００の外部装置に設けられている点が、第一の実施形態と相違する。よって、以下の第四の実施形態の説明では、第一の実施形態との相違点について説明し、第一の実施形態と同様の機能構成を有するものには、第一の実施形態の説明で用いた符号と同様の符号を付与し、その説明を省略する。
【０１１９】
図１１は、第四の実施形態の生体機能計測解析システムを説明する図である。本実施形態の生体機能計測解析システム１００Ｃは、生体機能計測解析装置２００Ｃと、刺激装置３００と、磁気センサ４００と、サーバ装置５００Ａと、を有する。
【０１２０】
本実施形態の生体機能計測解析装置２００Ｃは、手順データベース２１０、刺激プログラム群２１６が格納されたプログラム格納部２１５Ａ（第一のプログラム格納部）、計測解析処理部２２０Ｂを有する。計測解析処理部２２０Ｂは、入力受付部２２１、手順決定部２２２、刺激指示部２２３、センサ出力取得部２２４、通信部２２８を有する。通信部２２８は、サーバ装置５００Ａを含む外部装置と通信を行う。
【０１２１】
本実施形態のサーバ装置５００Ａは、解析プログラム群２１７が格納されたプログラム格納部２１５Ｂ（第二のプログラム格納部）、解析部２２５、結果出力部２２６、通信部５１０を有する。通信部５１０は、生体機能計測解析装置２００Ｃを含む他の装置との通信を行う。
【０１２２】
本実施形態の生体機能計測解析装置２００Ｃは、入力受付部２２１が計測する脳の機能の選択を受け付けると、手順データベース２１０を参照し、手順決定部２２２により、計測解析手順情報を特定する。
【０１２３】
また、本実施形態の生体機能計測解析装置２００Ｃは、計測解析手順情報が特定されると、プログラム格納部２１５Ａに格納された刺激プログラム群２１６に含まれる刺激プログラムを読み出し、刺激指示部２２３に刺激プログラムを実行させる。
【０１２４】
このとき、生体機能計測解析装置２００Ｃは、通信部２２８を介して、特定された計測解析手順情報をサーバ装置５００Ａへ送信しても良い。
【０１２５】
そして、生体機能計測解析装置２００Ｃは、センサ出力取得部２２４により、磁気センサ４００からセンサ出力信号を取得すると、通信部２２８を介してセンサ出力信号をサーバ装置５００Ａへ送信する。
【０１２６】
サーバ装置５００Ａは、計測解析手順情報を受信すると、解析部２２５により、プログラム格納部２１５Ｂに格納された解析プログラム群２１７から、計測解析手順情報に応じた解析プログラムを読み出して実行し、結果出力部２２６により、計測結果を出力させる。
【０１２７】
このように、本実施形態によれば、解析プログラム群２１７を格納するプログラム格納部２１５Ｂと、解析処理を行う解析部２２５と、をサーバ装置５００Ａへ設けたため、解析に関する処理をサーバ装置５００Ａに実行させることができる。したがって、本実施形態によれば、生体機能計測解析装置２００Ｃの処理負荷を軽減することができる。
【０１２８】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１２９】
１００、１００Ａ、１００Ｂ、１００Ｃ  生体機能計測解析システム
２１０  手順データベース
２１５、２１５Ａ、２１５Ｂ  プログラム格納部
２２０、２２０Ａ、２２０Ｂ  計測解析処理部
２２１  入力受付部
２２２  手順決定部
２２３  刺激指示部
２２４  センサ出力取得部
２２５  解析部
２２６  結果出力部
２２７  パラメータ設定部
３００  刺激装置
４００  磁気センサ
５００、５００Ａ  サーバ装置
【先行技術文献】
【特許文献】
【０１３０】
【特許文献１】特開２００１−３７７３３号公報
【特許文献２】特開２００８−１９４４５３号公報
【図１】
2019118536.tif 000003
【図２】
2019118536.tif 000004
【図３】
2019118536.tif 000005
【図４】
2019118536.tif 000006
【図５】
2019118536.tif 000007
【図６】
2019118536.tif 000008
【図７】
2019118536.tif 000009
【図８】
2019118536.tif 000010
【図９】
2019118536.tif 000011
【図１０】
2019118536.tif 000012
【図１１】
2019118536.tif 000013